(57)【要約】【課題】この発明は、ジョブ単位での処理状況を直観的に把握できるようになる画像形成装置を提供することを目的とする。【解決手段】ジョブ入力イベントが発生したときに、そのジョブの代表イメージを作成する第１手段、ジョブ入力イベント発生時に印刷処理中のジョブが存在している場合には、入力されたジョブの代表イメージを印刷処理待ちジョブ表示領域に表示させる第２手段、ジョブ入力イベント発生時に印刷処理中のジョブが存在していない場合には、入力されたジョブの代表イメージを印刷中ジョブ表示領域に表示させる第３手段、あるジョブが完了したときには、完了したジョブの代表イメージの、印刷中ジョブ表示領域での表示を消去するとともに、完了したジョブの代表イメージを印刷処理済みジョブ表示領域に表示させる第４手段を備えている。【選択図】図１
2008132713.tif 000002
【特許請求の範囲】
【請求項１】
表示装置を備えた画像形成装置において、
表示装置の表示領域内に、印刷処理待ちジョブ表示領域と、印刷中ジョブ表示領域と、印刷処理済みジョブ表示領域とが設けられており、
ジョブ入力イベントが発生したときに、そのジョブの代表イメージを作成する第１手段、
ジョブ入力イベント発生時に印刷処理中のジョブが存在している場合には、入力されたジョブの代表イメージを印刷処理待ちジョブ表示領域に表示させる第２手段、
ジョブ入力イベント発生時に印刷処理中のジョブが存在していない場合には、入力されたジョブの代表イメージを印刷中ジョブ表示領域に表示させる第３手段、
あるジョブが完了したときには、完了したジョブの代表イメージの、印刷中ジョブ表示領域での表示を消去するとともに、完了したジョブの代表イメージを印刷処理済みジョブ表示領域に表示させる第４手段、ならびに
あるジョブが完了したときにおいて印刷処理待ちのジョブが存在する場合には、次に実行されるべきジョブの代表イメージの、印刷処理待ちジョブ表示領域での表示を消去するとともに、次に実行されるべきジョブの代表イメージを印刷中ジョブ表示領域に表示させる第５手段、
を備えていることを特徴とする画像形成装置。
【請求項２】
印刷処理済みジョブ表示領域に表示される代表イメージの最大数は予め定められており、第４手段は、印刷処理済みジョブ表示領域に最大数の代表イメージが表示されている場合に、あるジョブが完了した場合には、印刷処理済みジョブ表示領域内の最も古いジョブの代表イメージの表示を消去した後、完了したジョブの代表イメージを印刷処理済みジョブ表示領域に表示させる手段を備えていることを特徴とする請求項１に記載の画像形成装置。
【発明の詳細な説明】
【技術分野】
【０００１】
この発明は、複写機、プリンタ等の画像形成装置に関する。
【背景技術】
【０００２】
複写機として、トレイに排出された用紙に形成されている画像イメージを表示パネルに表示する機能を備えたもの（以下、第１従来例という）が既に開発されている（特開２００３−１４５８９６号公報参照）。なお、この公報には、トレイに複数枚の用紙が排出されている場合には、全ての用紙の画像イメージを互いにずらせて表示させることも開示されている。
【０００３】
また、複写機能、プリンタ機能、ＦＡＸ機能等を有し、各機能毎に出力シートを仕分けするための排紙処理装置を備えた複合機として、各トレイに対して、いずれの機能が使用中かまたは使用されたか等の排紙の状態を表示装置に表示する機能を備えたもの（以下、第２従来例という）が既に開発されている（特開平７−３３６４８１号公報参照）。
【０００４】
さらに、複写機として、読み取った原稿画像の画像形成動作に連動して、画像形成された画像データに対応する画像を表示装置に表示させる機能を備えたもの（以下、第３従来例という）が既に開発されている（特開平１１−５５４３３号公報参照）。
【０００５】
上記第１従来例では、排紙されている用紙の画像イメージを把握することはできるが、ジョブ単位での処理状況を直観的に把握できない。
【０００６】
上記第２従来例では、いずれの機能が使用中かまたは使用されたか等の排紙の状態を把握できるが、画像イメージが表示されないため、ジョブ単位での処理状況を直観的に把握できない。
【０００７】
上記第３従来例では、現在画像形成されている画像イメージのみが表示されるため、ジョブ単位での処理状況を直観的に把握できない。
【特許文献１】特開２００３−１４５８９６号公報
【特許文献２】特開平７−３３６４８１号公報
【特許文献３】特開平１１−５５４３３号公報
【発明の開示】
【発明が解決しようとする課題】
【０００８】
この発明は、ジョブ単位での処理状況を直観的に把握できるようになる画像形成装置を提供することを目的とする。
【課題を解決するための手段】
【０００９】
請求項１に記載の発明は、表示装置を備えた画像形成装置において、表示装置の表示領域内に、印刷処理待ちジョブ表示領域と、印刷中ジョブ表示領域と、印刷処理済みジョブ表示領域とが設けられており、ジョブ入力イベントが発生したときに、そのジョブの代表イメージを作成する第１手段、ジョブ入力イベント発生時に印刷処理中のジョブが存在している場合には、入力されたジョブの代表イメージを印刷処理待ちジョブ表示領域に表示させる第２手段、ジョブ入力イベント発生時に印刷処理中のジョブが存在していない場合には、入力されたジョブの代表イメージを印刷中ジョブ表示領域に表示させる第３手段、あるジョブが完了したときには、完了したジョブの代表イメージの、印刷中ジョブ表示領域での表示を消去するとともに、完了したジョブの代表イメージを印刷処理済みジョブ表示領域に表示させる第４手段、ならびにあるジョブが完了したときにおいて印刷処理待ちのジョブが存在する場合には、次に実行されるべきジョブの代表イメージの、印刷処理待ちジョブ表示領域での表示を消去するとともに、次に実行されるべきジョブの代表イメージを印刷中ジョブ表示領域に表示させる第５手段を備えていることを特徴とする。
【００１０】
請求項２に記載の発明は、請求項１に記載の発明において、印刷処理済みジョブ表示領域に表示される代表イメージの最大数は予め定められており、第４手段は、印刷処理済みジョブ表示領域に最大数の代表イメージが表示されている場合に、あるジョブが完了した場合には、印刷処理済みジョブ表示領域内の最も古いジョブの代表イメージの表示を消去した後、完了したジョブの代表イメージを印刷処理済みジョブ表示領域に表示させる手段を備えていることを特徴とする。
【発明の効果】
【００１１】
この発明によれば、ジョブ単位での処理状況を直観的に把握できるようになる。
【発明を実施するための最良の形態】
【００１２】
以下、図面を参照して、この発明をプリンタに適用した場合の実施例について説明する。
【実施例１】
【００１３】
図１は、印刷システムの構成を示している。
【００１４】
プリンタ１は、ネットワーク２を介して、複数のＰＣ３、４に接続されている。各ＰＣ３、４からは、印刷データがプリンタ１に送られる。プリンタ１は、ＰＣ３、４から送られてきた印刷データを印刷して出力する。
【００１５】
図２は、プリンタ１の電気的構成を示している。
【００１６】
プリンタ１は、印刷データ等を受信する受信部１１、印刷データを印刷する印刷部１２、各種操作キーを備えた操作部１３、ジョブ単位の処理状況等を表示する表示部１４およびこれらを制御するＣＰＵ２０を備えている。ＣＰＵ２０は、そのプログラムを記憶するＲＯＭ２１、必要なデータを記憶する揮発性メモリ２２、必要なデータを記憶する不揮発性メモリ２３を備えている。
【００１７】
図３は、表示部１４に表示されるジョブ単位の処理状況の一例を示している。
【００１８】
表示部１４には、印刷処理待ちのジョブ（この例では、ＪＯＢ＿Ｈ〜ＪＯＢ＿Ｉ）の代表イメージが表示される印刷処理待ちジョブ表示領域ＳA と、印刷中のジョブ（この例では、ＪＯＢ＿Ｇ）の代表イメージが表示される印刷中ジョブ表示領域ＳB と、印刷処理済みのジョブ（この例では、ＪＯＢ＿Ａ〜ＪＯＢ＿Ｆ）の代表イメージが表示される印刷処理済みジョブ表示領域Ｓc が設けられている。なお、ジョブの代表イメージとは、この例では、そのジョブの１頁目の画像の縮小画像をいう。
【００１９】
印刷処理待ちジョブ表示領域ＳA には、ジョブが入力された順番で、印刷処理待ちジョブの代表イメージが表示される。この例では、入力された時刻が遅い（古い）ジョブほど、左側に表示される。
【００２０】
印刷中ジョブ表示領域ＳB には、現在、印刷処理が行なわれているジョブの代表イメージが表示される。
【００２１】
印刷処理済みジョブ表示領域Ｓc には、ジョブが実行された順番で、印刷処理済みジョブの代表イメージが表示される。この例では、実行された時刻が早い（新しい）ジョブほど、左側に表示される。なお、印刷処理済みジョブ表示領域に表示される代表イメージの最大数は予め定められており、印刷処理済みジョブ表示領域に最大数の代表イメージが表示されている場合に、現在行なわれているジョブが完了した場合には、最も古いジョブの代表イメージの表示が消去され、完了したジョブの代表イメージが追加される。
【００２２】
図４は、ジョブ入力イベント発生時に行なわれる処理の手順を示している。
【００２３】
不揮発性メモリ２３には、印刷処理待ちジョブの代表イメージを印刷処理待ち表示リストＲA として保持するエリアと、印刷中ジョブの代表イメージを印刷中表示リストＲB として保持するエリアと、印刷処理済みジョブの代表イメージを印刷処理済み表示リストＲC として保持するエリアとが設けられている。
【００２４】
ジョブ入力イベントが発生すると（ステップＳ１）、入力されたジョブの代表イメージを作成する（ステップＳ２）。
【００２５】
印刷中表示リストＲB に代表イメージが存在するか否かを判別する（ステップＳ３）。印刷中表示リストＲB に代表イメージが存在する場合には、今回入力されたジョブの代表イメージを印刷処理待ち表示リストＲA に追加した後（ステップＳ４）、印刷処理待ちジョブ表示領域ＳA に当該代表イメージを表示する（ステップＳ５）。そして、今回の処理を終了する。
【００２６】
上記ステップＳ３において、印刷中表示リストＲB に代表イメージが存在しない場合には、今回入力されたジョブの代表イメージを印刷中表示リストＲB に追加した後（ステップＳ６）、印刷中ジョブ表示領域ＳB に当該代表イメージを表示する（ステップＳ７）。そして、今回の処理を終了する。
【００２７】
図５は、排出完了イベント発生時に行なわれる処理の手順を示している。
【００２８】
排出完了イベントが発生すると、つまり、１枚の用紙が排出されると（ステップＳ１１）、現在実行されているジョブが完了したか否かを判別する（ステップＳ１２）。現在実行されているジョブが完了していない場合には、今回の処理を終了する。
【００２９】
現在実行されているジョブが完了したと判別した場合には、完了したジョブの代表イメージを印刷中表示リストＲB から削除するとともに印刷中ジョブ表示領域ＳB での当該代表イメージの表示を消去する（ステップＳ１３）。
【００３０】
また、完了したジョブの代表イメージを印刷処理済み表示リストＲC に追加する（ステップＳ１４）。そして、印刷処理済み表示リストＲC 内の代表イメージ数が所定数より多い否かを判別する（ステップＳ１５）。
【００３１】
リストＲC 内の代表イメージ数が所定数より多いと判別した場合には、リストＲC 内から最も古い代表イメージを削除し、印刷処理済みジョブ表示領域Ｓc での当該代表イメージの表示を消去する（ステップＳ１６）。この後、完了したジョブの代表イメージを、印刷処理済みジョブ表示領域Ｓc に表示する（ステップＳ１７）。なお、この際、印刷処理済みジョブ表示領域Ｓc に既に表示されている各代表イメージの表示位置が変更せしめられる。そして、ステップＳ１８に移行する。
【００３２】
上記ステップＳ１５において、リストＲC 内の代表イメージ数が所定数以下であると判別した場合には、完了したジョブの代表イメージを印刷処理済みジョブ表示領域Ｓc に表示する（ステップＳ１７）。なお、この際、印刷処理済みジョブ表示領域Ｓc に既に表示されている各代表イメージが存在する場合には、それらの表示位置が変更せしめられる。そして、ステップＳ１８に移行する。
【００３３】
ステップＳ１８では、印刷処理待ち表示リストＲA に次に実行されるべきジョブの代表イメージが存在するか否かを判別する。印刷処理待ち表示リストＲA に次に実行されるべきジョブの代表イメージが存在しない場合には、今回の処理を終了する。
【００３４】
上記ステップＳ１８において、印刷処理待ち表示リストＲA に次に実行されるべきジョブの代表イメージが存在すると判別した場合には、印刷処理待ち表示リストＲA から次に実行されるべきジョブの代表イメージを削除するとともに印刷処理待ちジョブ表示領域ＳA での当該代表イメージの表示を消去する（ステップＳ１９）。この際、印刷処理待ちジョブ表示領域ＳA に他の代表イメージが表示されている場合には、他の代表イメージの表示位置が変更せしめられる。
【００３５】
また、上記次に実行されるべきジョブの代表イメージを印刷中表示リストＲB に追加した後（ステップＳ２０）、印刷中ジョブ表示領域ＳB に当該代表イメージを表示する（ステップＳ２１）。そして、今回の処理を終了する。
【００３６】
図６は、所定時間毎に実行される代表イメージ自動消去処理の手順を示している。
【００３７】
印刷処理済みジョブ表示領域Ｓc に表示される各代表イメージ毎に、その代表イメージが印刷処理済みジョブ表示領域Ｓc に表示された時刻を記憶しおく。
【００３８】
所定時間が経過する毎に定期タイマーイベントが発生するものとする。定期タイマーイベントが発生すると（ステップＳ３１）、印刷処理済みジョブ表示領域Ｓc に表示されている代表イメージのうち、印刷処理済みジョブ表示領域Ｓc での表示時間が規定時間以上となっているものがあるか否かを判別する（ステップＳ３２）。
【００３９】
表印刷処理済みジョブ表示領域Ｓc での表示時間が規定時間以上となっているものがある場合には、その代表イメージを印刷処理済み表示リストＲC から削除するとともに印刷処理済みジョブ表示領域ＳC での当該代表イメージの表示を消去する（ステップＳ３３）。そして、今回の処理を終了する。
【００４０】
上記ステップＳ３２において、表印刷処理済みジョブ表示領域Ｓc での表示時間が規定時間以上となっているものがない場合には、今回の処理を終了する。
【図面の簡単な説明】
【００４１】
【図１】印刷システムの構成を示すブロック図である。
【図２】プリンタの電気的構成を示すブロック図である。
【図３】表示部１４に表示されるジョブ単位の処理状況の一例を示す模式図である。
【図４】ジョブ入力イベント発生時に行なわれる処理の手順を示すフローチャートである。
【図５】排出完了イベント発生時に行なわれる処理の手順を示すフローチャートである。
【図６】所定時間毎に実行される代表イメージ自動消去処理の手順を示すフローチャートである。
【符号の説明】
【００４２】
１  プリンタ
２  ネットワーク
３、４  ＰＣ
１１  受信部
１２  印刷部
１３  操作部
１４  表示部
２０  ＣＰＵ
【図１】
2008132713.tif 000003
【図２】
2008132713.tif 000004
【図３】
2008132713.tif 000005
【図４】
2008132713.tif 000006
【図５】
2008132713.tif 000007
【図６】
2008132713.tif 000008